(57)【要約】      （修正有）【課題】販売時、アドレス（address：打球の構え）時、又はバッグに入れている間でも、立派に、スタイリッシュに、ユニークに、又は魅力的に見えるゴルフクラブを提供する。【解決手段】ゴルフクラブヘッド等の物品が、研磨領域、テクスチャー加工領域、塗装領域、及び／又はコーティング領域のうちの１つ又は複数を有し、これらの領域は、１つ又は複数のマスキング作業、テクスチャー加工作業、塗装作業、及びマスク除去作業を用いて形成することができる。対向するマスク縁によって画定される狭い領域に亘ってマスキング液を塗布することができ、それにより、金属面のストリップを、塗装領域、テクスチャー加工領域、及び／又はコーティング領域によって縁取りすることが可能になる。【選択図】図１
2016055160.tif 000002
【特許請求の範囲】
【請求項１】
ゴルフクラブヘッドであって、該ゴルフクラブヘッドは、バック部と、ソール部と、フェース部とを有し、前記ソール部は、
物理蒸着（ＰＶＤ）コーティング面を有する、前記フェース部の近位の第１の領域と、
ＰＶＤコーティング面を有する、前記バック部の近位の第２の領域と、
実質的にＰＶＤコーティングのない研磨された金属面を有する、前記第１の領域と前記第２の領域との間の第３の領域と、
を有する、ゴルフクラブヘッド。
【請求項２】
前記第１の領域は、第１の表面粗さ値を有する粗い面を有し、前記第２の領域は、前記第１の表面粗さ値とは異なる第２の表面粗さ値を有する滑らかな面を有する、請求項１に記載のゴルフクラブヘッド。
【請求項３】
前記粗い面は、サンドブラスト面、化学エッチング面、研削面、ブラッシング面、及びタンブリング面を含む群から選択されるテクスチャー加工面を含む、請求項２に記載のゴルフクラブヘッド。
【請求項４】
前記フェース部は、前記第１の領域と略同じ粗さを有する第４の領域を有する、請求項２に記載のゴルフクラブヘッド。
【請求項５】
前記第１の領域はテクスチャー加工面を含む、請求項１に記載のゴルフクラブヘッド。
【請求項６】
前記第３の領域は、前記第１の領域と前記第２の領域との間に延在する細いストリップを含む、請求項１に記載のゴルフクラブヘッド。
【請求項７】
前記細いストリップは、少なくとも１つの略直線状セクションを有する、請求項６に記載のゴルフクラブヘッド。
【請求項８】
前記略直線状セクションは、概して前記ゴルフクラブヘッドのヒール部からトゥ部にかけての方向に延びている部分を含む、請求項７に記載のゴルフクラブヘッド。
【請求項９】
前記略直線状セクションは概して前記ゴルフクラブヘッドのフェース部からバック部にかけての方向に延びている部分を含む、請求項７に記載のゴルフクラブヘッド。
【請求項１０】
前記略直線状セクションは、概して前記ゴルフクラブヘッドのヒール部からトゥ部にかけての方向に延びている第１の部分と、概して前記ゴルフクラブヘッドのフェース部からバック部にかけての方向に延びている第２の部分とを有する、請求項７に記載のゴルフクラブヘッド。
【請求項１１】
前記ストリップは、前記第１の部分と前記第２の部分との接合点を含む少なくとも１つの角セクションを更に有する、請求項１０に記載のゴルフクラブヘッド。
【請求項１２】
前記ストリップは、少なくとも１つの曲線状セクションを更に有する、請求項１１に記載のゴルフクラブヘッド。
【請求項１３】
前記細いストリップは、少なくとも１つの曲線状セクションを有する、請求項６に記載のゴルフクラブヘッド。
【請求項１４】
前記細いストリップは、前記ゴルフクラブヘッドの相対重量、相対バウンス、及び相対慣性モーメント（ＭＯＩ）のうちの１つ又は複数を示すジョグセクションを有する、請求項６に記載のゴルフクラブヘッド。
【請求項１５】
ゴルフクラブヘッドであって、
ソール部と、
バック部と、
フェース部と、
前記ソール部の少なくとも一部及び前記フェース部の少なくとも一部を覆うサンドブラスト面を含む第１の領域と、
前記バック部の近位の前記ソール部にある研磨面を含む第２の領域と、
前記ソール部の前記第１の領域と前記第２の領域との間にある研磨された金属ストリップを含む第３の領域と、
を有する、ゴルフクラブヘッド。
【請求項１６】
前記第２の領域の前記研磨面は、研磨された物理蒸着（ＰＶＤ）コーティング面である、請求項１５に記載のゴルフクラブヘッド。
【請求項１７】
前記第１の領域と前記第３の領域との間の研磨されたＰＶＤコーティング面を含む第４の領域を更に有する、請求項１６に記載のゴルフクラブヘッド。
【請求項１８】
前記第１の領域、前記第２の領域、及び前記第４の領域は、ＰＶＤコーティング面を含み、前記第３の領域は、実質的にＰＶＤのない研磨された金属面を含む、請求項１７に記載のゴルフクラブヘッド。
【請求項１９】
前記研磨された金属ストリップは、概して前記ゴルフクラブヘッドのヒール部からトゥ部にかけての方向に延びている略直線状の第１のセクションと、概して前記ゴルフクラブヘッドのフェース部からバック部にかけての方向に延びている略直線状の第２のセクションと、前記ゴルフクラブヘッドの前記ヒール部からトゥ部にかけての方向及び前記ゴルフクラブヘッドの前記フェース部からバック部にかけての方向に対して略斜めに延びている略直線状の第３のセクションとを有する、請求項１６に記載のゴルフクラブヘッド。
【請求項２０】
前記研磨された金属ストリップは、概して前記ゴルフクラブヘッドのヒール部からトゥ部にかけての方向に延びている略直線状の第１のセクションと、概して前記ゴルフクラブヘッドの前記ヒール部からトゥ部にかけての方向に、前記第１の略直線状セクションの後方にオフセットして延びている略直線状の第２のセクションと、概して前記ゴルフクラブヘッドのフェース部からバック部にかけての方向に延びている略直線状の第３のセクションと、前記略直線状の第１のセクションと前記略直線状の第２のセクションとを接合し、前記ヒール部からトゥ部にかけての方向及び前記フェース部からバック部にかけての方向に対して略斜めに延びている略直線状の第４のセクションと、前記略直線状の第１のセクションと前記略直線状の第３のセクションとを接合する曲線状セクションとを有し、前記第１の領域及び前記第２の領域は物理蒸着（ＰＶＤ）層を含み、前記第３の領域は、実質的にＰＶＤのない研磨された金属面を含む、請求項１５に記載のゴルフクラブヘッド。
【請求項２１】
前記第１の領域と前記第３の領域との間に研磨されたＰＶＤコーティング面を含む第４の領域を更に有する、請求項２０に記載のゴルフクラブヘッド。
【請求項２２】
前記第３の領域は幅が約２ｍｍであり、前記第４の領域は幅が約１ｍｍである、請求項２１に記載のゴルフクラブヘッド。
【請求項２３】
ａ．ソール部と、フェース部と、バック部とを有するゴルフクラブヘッドの前記ソール部を研磨することと、
ｂ．前記ソール部の第１の部分を覆う一方で、前記ソール部の第２の部分を覆わないままにする第１のマスクを前記ソール部に施すことと、
ｃ．前記ソール部の前記第２の部分にテクスチャー加工を施し、それにより、前記第１のマスクによって画定されるテクスチャー加工境界線を有するテクスチャー加工領域を形成することと、
ｄ．前記第１のマスクを除去することと、
ｅ．前記テクスチャー加工領域の少なくとも一部を覆う第２のマスクを施すことと、
ｆ．前記ソール部の前記第１の部分の第１の研磨領域の少なくとも一部を覆うとともに、前記ソール部の前記第１の部分の第２の研磨領域を露出したままにする第３のマスクを施すことと、
ｇ．前記ソール部の前記第１の部分の前記第２の研磨領域を実質的に覆うマスキング液を塗布することと、
ｈ．前記ソール部から前記第２のマスク及び前記第３のマスクを除去することと、
ｉ．実質的に前記ソール部全体に塗装又はコーティングを施すことと、
ｊ．前記ソール部の前記第１の部分の前記第２の研磨領域から前記マスキング液を除去することと、
を含む、方法。
【請求項２４】
前記第１のマスクは、前記ゴルフクラブヘッドの前記バック部の近位に施される、請求項２３に記載の方法。
【請求項２５】
ステップ（ｃ）において、前記フェース部の少なくとも一部に前記テクスチャー加工を施すことを更に含む、請求項２３に記載の方法。
【請求項２６】
前記テクスチャー加工は、サンドブラストステップ、化学エッチングステップ、研削ステップ、ブラッシングステップ、及びタンブリングステップのうちの１つ又は複数を用いて施される、請求項２３に記載の方法。
【請求項２７】
前記第２のマスクは、前記ソール部の前記第１の部分の第１のオフセット部分を更に覆う、請求項２３に記載の方法。
【請求項２８】
前記第３のマスクは、前記第１のオフセット部分から離間している第２のオフセット部分を含む露出した部分を残す、請求項２７に記載の方法。
【請求項２９】
前記第２のマスクは、前記第１のオフセット部分が前記テクスチャー加工境界線から略一定距離だけ離間するように施される、請求項２７に記載の方法。
【請求項３０】
前記第３のマスクは、第２のオフセット部分が、前記テクスチャー加工境界線から略一定距離を置いて離間している境界線を有するように施される、請求項２９に記載の方法。
【請求項３１】
前記コーティングは物理蒸着（ＰＶＤ）を含む、請求項２３に記載の方法。
【請求項３２】
前記マスキング液はＰＶＤの付着に抗する、請求項３１に記載の方法。
【請求項３３】
前記ゴルフクラブヘッドは金属である、請求項２３に記載の方法。
【請求項３４】
ステップ（ｂ）は、前記第１のマスクが前記ソール部の後方部を覆う一方で、前記ソール部の覆われていない部分及び前記フェース部の覆われていない部分を含む、前記金属製ゴルフクラブヘッドの前方部を覆わないままにするように、概して前記ゴルフクラブヘッドのヒール部からトゥ部にかけての方向に延びている前方境界線を有する前記第１のマスクを前記ソール部に施すことを含み、
ステップ（ｃ）は、前記金属製ゴルフクラブヘッドの前記前方部にサンドブラストを行い、それにより、前記ソール部の前記覆われていない部分及び前記フェース部の前記覆われていない部分に前記テクスチャー加工領域を形成することであって、前記テクスチャー加工境界線は、少なくとも部分的に前記第１のマスクの前記前方境界線によって画定されることを含み、
ステップ（ｅ）は、前記第２のマスクを施して、前記テクスチャー加工境界線の後方にある、前記ソール部の前記後方部のオフセット領域を更に覆うことを含み、
ステップ（ｆ）は、前記第３のマスクを施して、前記ソール部の前記後方部の少なくとも一部を覆うとともに、前記第２のマスクと前記第３のマスクとの間にストリップ領域を露出したままにすることを含み、
ステップ（ｇ）は、マスキング液を塗布して、前記ストリップ領域を実質的に覆い、前記マスキング液を乾かすことを含み、
ステップ（ｉ）は、前記フェース部に前記塗装又は前記コーティングを施すことを更に含み、
ステップ（ｊ）は、前記ストリップ領域から前記マスキング液を除去することを含む、請求項３３に記載の方法。
【請求項３５】
前記コーティングは物理蒸着（ＰＶＤ）を含み、前記マスキング液を乾かした後、該マスキング液はＰＶＤに対して付着性がない、請求項３４に記載の方法。
【請求項３６】
前記ストリップ領域は、概して前記ゴルフクラブヘッドの前記ヒール部からトゥ部にかけての方向に延びている略直線状の第１のセクションと、概して前記ゴルフクラブヘッドのフェース部からバック部にかけての方向に延びている略直線状の第２のセクションと、前記ヒール部からトゥ部にかけての方向及び前記フェース部からバック部にかけての方向に対して略斜めに延びている略直線状の第３のセクションとを有する、請求項３４に記載の方法。
【請求項３７】
前記ストリップ領域は曲線状領域を含む、請求項３６に記載の方法。
【請求項３８】
前記ストリップ領域は幅が約１ｍｍ〜２ｍｍである、請求項３６に記載の方法。
【請求項３９】
前記オフセット領域は幅が約１ｍｍ以下である、請求項３４に記載の方法。
【請求項４０】
前記第１のマスク、前記第２のマスク、及び前記第３のマスクはダイカットマスキングテープを含む、請求項３４に記載の方法。
【請求項４１】
前記ストリップ領域から前記マスキング液を除去することは、液体溶剤槽内で実行される、請求項３４に記載の方法。
【請求項４２】
ゴルフクラブヘッドであって、該ゴルフクラブヘッドは、ソール部と、バック部と、フェース部とを有し、前記ソール部は、互いからオフセットしているとともに、少なくとも部分的に、前記ソール部に沿ってヒール部からトゥ部にかけての方向に延びている溝によって画定される２つのセクションを有する、ゴルフクラブヘッド。
【請求項４３】
前記２つのセクションのうちの一方は前方セクションを含み、前記２つのセクションのうちのもう一方は後方セクションを含む、請求項４２に記載のゴルフクラブヘッド。
【請求項４４】
前記後方セクションは前記前方セクションに対して引っ込んでいる、請求項４３に記載のゴルフクラブヘッド。
【請求項４５】
前記前方セクションに対して引っ込んでいる前記引っ込んだセクションは、前記ゴルフクラブヘッドが略水平面に置かれると、前記ゴルフクラブヘッドを用いて作製されたゴルフクラブが、前記ゴルフクラブヘッドの前記バック部に向かって傾き、それにより、前記フェース部を所定の角度に開くように構成されている、請求項４４に記載のゴルフクラブヘッド。
【発明の詳細な説明】
【技術分野】
【０００１】
［関連出願の相互参照］
該当なし
【０００２】
［連邦政府による資金提供を受けた研究又は開発に関する記載］
該当なし
【０００３】
［著作権許諾］
以下の開示は著作権保護を受ける場合がある。本開示は特許商標庁の記録に開示されていることから、著作権保有者は本開示を含むドキュメントの複製に関しては何人によるものであっても異議を唱えないが、それ以外については全ての適用可能な著作権を留保する。
【０００４】
本開示は、例としてゴルフクラブヘッドを含む製品及び同製品を作製する方法に関する。
【背景技術】
【０００５】
あらゆるタイプの製造業者は、製品に特徴的な色、形状、テクスチャー、仕上げ、塗装、コーティングを施すか又は別様に、自製品が注目を引くような方法を絶えず模索している。しかし、より特徴的な見た目、特に「カスタム」な様相のものは、往々にして膨大な手作業、費用のかかる製造プロセス、及び他の技術を必要とし、それらの有効性及び再現性は、組立工、工人、又は職人の変わりやすい技量に大きく左右される場合がある。
【０００６】
いくつかの製品、例えばゴルフクラブは、消費者に品質、性能、及びスタイルを伝える手段として外見に依存することが多い。また、自信というのはゴルファーのパフォーマンスの重要な要因であるため、ゴルフクラブ製造業者は、販売時、アドレス（address：打球の構え）時、又はバッグに入れている間でも、立派に、スタイリッシュに、ユニークに、又は魅力的に見えるゴルフクラブを提供することで、ゴルファーに自信を植え付けようと試みることが多い。
【０００７】
ゴルフクラブヘッド等の物品の特徴的な見た目を達成する１つの方法は、例えばマットブラックの仕上げ及び／又はテクスチャーを伴う、物理蒸着（ＰＶＤ）コーティング若しくは塗装がされたヘッドを提供すること、及び、高度に研磨された金属部分等の「ポップ」な見た目を与え得るコントラスト部分を提供することを含むことができる。しかし、従来、このような高コントラストを与えることは、例えば、研磨された金属インレーを物品の相補的な凹部に配置することが必要であり、それには膨大な作業を伴い、物品のフィット感及び仕上がりに関する問題を生じ得るため、経済的に実現に適さなかった。他の従来方法は、数多くの塗装及び／又はＰＶＤコーティングステップを含む場合があるため、作業及び材料のコストが増す。
【発明の概要】
【０００８】
ゴルフクラブヘッド等の物品は、バック部と、ソール部と、フェース部とを有することができる。ソール部は、ＰＶＤコーティング面を有することができる、フェース部の近位の第１の領域と、ＰＶＤコーティング面を有することができる、バック部の近位の第２の領域と、実質的にＰＶＤコーティングのない研磨された金属面を含むことができる、第１の領域と第２の領域との間の第３の領域とを有することができる。
【０００９】
１つ又は複数の作業を含むことができる方法が開示される。これらの作業は、ソール部と、フェース部と、バック部とを有するゴルフクラブヘッドのソール部を含むことができる物品を研磨することと、ソール部の第１の部分を覆う一方で、ソール部の第２の部分を覆わないままにする第１のマスクをソール部に施すことと、ソール部の第２の部分にテクスチャー加工を施し、それにより、第１のマスクによって画定されるテクスチャー加工境界線を有するテクスチャー加工領域を形成することと、第１のマスクを除去することと、テクスチャー加工領域の少なくとも一部を覆う第２のマスクを施すことと、ソール部の第１の部分の第１の研磨領域の少なくとも一部を覆うとともに、ソール部の第１の部分の第２の研磨領域を露出したままにする第３のマスクを施すことと、ソール部の第１の部分の第２の研磨領域を実質的に覆うマスキング液（liquid mask）を塗布することと、ソール部から第２のマスク及び第３のマスクを除去することと、実質的にソール部全体に塗装又はコーティングを施すことと、ソール部の第１の部分の第２の研磨領域からマスキング液を除去することとを含む。
【００１０】
本願の特徴、課題、及び利点は、図面と併せると、以下に記載されている詳細な記載からより明らかになる。
【図面の簡単な説明】
【００１１】
【図１】本開示のゴルフクラブヘッドを含む物品の平面図である。
【図２】図１の物品の等角図である。
【図３】図１の物品のフェース部を示す正面斜視図である。
【図４】図１の丸で囲んだ部分の詳細図である。
【図５】本開示の方法を示すフロー図である。
【図６】本開示の別の方法を示すフロー図である。
【図７】本開示に従った、マスクを施す方法を示す図である。
【図８】本開示に従った、１つ又は複数のマスクを施す方法の別の態様を示す図である。
【図９】本開示の別の実施形態に係るゴルフクラブヘッドの端面図である。
【図１０】図９のゴルフクラブヘッドの平面図である。
【図１１】図９のゴルフクラブヘッドの等角図である。
【図１２】図９の丸で囲んだ部分の詳細図である。
【発明を実施するための形態】
【００１２】
図１〜図３を参照すると、バック部１２と、ソール部１４と、バック部１２の反対側にあり、ゴルフボール（図示せず）を打つのに用いるフェース部１６とを有するゴルフクラブヘッドが、全体として１０で示されている。ゴルフクラブヘッド１０は、クラブヘッド１０の隣り合う対向端部に配置されているヒール部１３及びトゥ部１５を更に有し、ヒール部１３とトゥ部１５との間にはフェース部１６が概して延在する。また、ゴルフクラブヘッド１０は通常、ホーゼル部１７を有し、クラブ（この例では６番アイアン）を識別する数字標識又は他の標識１９を有する場合がある。アイアン型のゴルフクラブヘッド１０が示されているが、本開示はアイアン型のゴルフクラブヘッドに限定されない。したがって、「ゴルフクラブヘッド」という用語は、本明細書において用いられる場合、特定の請求項又は使用の文脈によって別段限定されない限り、ドライバー、フェアウェイウッド、ハイブリッド、アイアン、ウェッジ、及びパターを意味することが意図される。通常、ソール部１４は、フェース部リーディングエッジ１８を介してフェース部１６に合一する。フェース部リーディングエッジ１８は、稜角又はアールを有してもよい。パター型又はアイアン型のゴルフクラブヘッド１０の場合、バック部１２は、既知のように、制振性、図画、及び／又は商標表示を提供する銘板（図示せず）を備えてもよい。
【００１３】
図示のように、ゴルフクラブヘッド１０は、フェース部１６の近位に第１の領域２０を有することができる。したがって、第１の領域２０はソール部１４の前方部にあることができる。第１の領域２０は、テクスチャー加工面２２等の、第１の表面粗さ値を有する比較的粗い面を有してもよい。テクスチャー加工面２２は、既知の方法を用いてゴルフクラブヘッド１０に形成することができる。既知の方法には、サンドブラスト、化学エッチング、例えば砥石研削ホイールを用いた研削、ブラッシング、及び／又はタンブリング等がある。好ましい一態様において、テクスチャー加工は、第１の領域２０を少なくとも部分的に画定する及び／又はゴルフクラブヘッド１０の他の領域をテクスチャー加工されないよう遮蔽するように、ダイカットマスキングテープ等のマスクを用いて達成することができる。本明細書において用いられる場合、「マスク」という用語は、塗装、テクスチャー加工、コーティング、着色、研磨等のような処理を受けないように表面をマスキングする、すなわち効果的に覆うのに用いることができる任意の材料を意味する。したがって、マスクは、例えば、テープ、箔、シールド、又は層（蒸着、液体を塗布して乾かす等によって形成された層を含む）を含むことができる。第１の領域２０は、例えばテクスチャー加工後に、ＰＶＤ（物理蒸着）コーティングを含む既知の塗装、コーティング、及び方法を用いて塗装又はコーティングしてもよい。
【００１４】
本明細書において用いられる場合、「ＰＶＤ」という用語は、ＰＶＤコーティングを施すプロセス及びその結果のコーティングの双方を含む。既知のように、ＰＶＤは、蒸気形態の所望の膜材料を種々のワーク面（例えば、半導体ウェハー、ゴルフクラブ、航空宇宙部品等）上で凝縮させることにより薄膜を堆積させるのに用いる、種々の真空蒸着法を表す。装置（rig）内に配置することができるワークに高真空及び高熱を印加すると同時に、反応ガス（例えば、窒素、又は炭素含有ガス）を導入する。反応ガスは金属蒸気とともに混合物を形成し、薄い高密着コーティングとして器具又は部品に堆積する。均一なコーティング厚さを得るために、パーツは通常、複数の軸の回りに均一な速度で回転される。
【００１５】
通常、ＰＶＤコーティング法は、化学蒸着のようにコーティングされる表面における化学反応を含むのではなく、後に凝縮を伴う高温真空蒸発又はプラズマスパッタ衝撃（plasma sputter bombardment）等の純粋に物理的なプロセスを含む。ＰＶＤによって施されるコーティングに用いる一般的な材料は、窒化チタン、窒化ジルコニウム、窒化クロム、及び窒化チタンアルミニウムである。ＰＶＤコーティングは、概して薄いが耐久性があり、耐擦過性及び耐摩耗性である。このことは、ゴルフクラブ設計の重要な観点である。
【００１６】
好ましい一態様において、ＰＶＤコーティングは、例えば、No. 1 BanAn Street, Sha Tian Industrial Estate, HouTing Road, Sha Jing Town, Shenzhen, China所在のShenzhen Zhongji Vacuum Plating Company, Ltd.社によるもの等が利用可能であり、ゴルフクラブヘッドのコーティングに使用して、例として、ブラッシング処理、鏡面研磨、及びブラスト仕上げによる仕上がりのイエローゴールド、ローズゴールド、赤、青、白、錫色、灰色、チタン色、茶色、ガンメタル色、及び黒を含む、異なる色及び仕上がりを達成することができる。
【００１７】
ＰＶＤの変形形態には、カソードアーク蒸着等のコーティング法が挙げられる。カソードアーク蒸着では、ターゲット（原）材料において放電される高出力電気アークが、この材料の一部を高イオン化蒸気として吹き飛ばし、ワーク上に堆積させる。ＰＶＤの別の変形形態には電子ビーム物理蒸着が挙げられる。電子ビーム物理蒸着では、堆積する材料は、「高」真空での電子衝撃により高蒸気圧に至るまで加熱され、拡散により運ばれ、（より低温の）ワーク上で凝縮することにより堆積する。蒸発蒸着（Evaporative Deposition）はＰＶＤの更なる変形形態である。蒸発蒸着では、堆積する材料は、「低」真空での電気抵抗加熱により高蒸気圧に至るまで加熱される。パルスレーザー蒸着はＰＶＤの別の変形形態である。パルスレーザー蒸着では、高出力レーザーにより材料をアブレートし、ターゲットを蒸気に変える。ＰＶＤの更に別の変形形態にはスパッタ蒸着が挙げられる。スパッタ蒸着では、プラズマグロー放電（通常、磁石により「ターゲット」の周囲に局所化される）により材料に衝撃を与え、この材料の一部を蒸気として弾き飛ばした後に堆積する。
【００１８】
ＰＶＤコーティングをゴルフクラブヘッドに施す場合、ゴルフクラブヘッドすなわちパーツを真空内に配置することができ、この真空チャンバーには、例えば、上述したＰＶＤ材料又は当業者に既知の他のＰＶＤ材料のうちの１つのような大型の二次材料スラブ又はロッドを配置することができる。真空チャンバー内の温度は或る特定の温度まで上昇させることができ、それにより、二次スラブ／ロッドの物理組成が変化し、スラブから粒子が分離し、上記パーツ（すなわちゴルフクラブヘッド）に改めて付着することで、新しい色（例えば黒）になる。ＰＶＤプロセス中に装置又は真空チャンバーが用いる真空及び温度は、ＰＶＤプロセスの当業者には十分既知であるが、その真空及び温度は、高真空及び高温、例えば、１トル程度の圧力、約１５０℃〜５００℃の温度としてもよい。
【００１９】
図１及び図２に更に示されているように、ゴルフクラブヘッド１０は、バック部１２の近位に第２の領域３０を有することができる。したがって、第２の領域３０は、ソール部１４の後方部に略沿って存在することができる。第２の領域３０は、第２の表面粗さ値を有する比較的滑らかな面を有してもよい。本開示の１つの態様によると、第２の表面粗さ値は第１の表面粗さ値よりも低い。第２の領域３０の比較的滑らかな面は研磨面３２とすることができる。この態様では、研磨面３２は既知の方法を用いて達成することができる。例えば、ゴルフクラブヘッド１０全体をニッケルめっき処理してもよく、その結果のニッケルめっきを、バフホイール及び／又は液体研磨剤を用いて研磨するか、他の既知の技術を用いて研磨してもよい。第２の領域３０は、同様に、ＰＶＤコーティングを含む既知の塗装、コーティング、及び方法を用いて塗装又はコーティングすることもできる。
【００２０】
図１及び図２に更に示されているように、ゴルフクラブヘッド１０は第３の領域４０を有することができる。第３の領域４０は、第１の領域２０と第２の領域３０との間に概して配置することができる。第３の領域４０は、図４の細部に示されているように、研磨された金属面４８を含むことができる。このような研磨された金属面４８は、例えば、ニッケルめっきゴルフクラブヘッド１０を研磨して、例えば、マスキング液を乾かすことにより、第３の領域４０をマスキングすることによって達成することができる。その後、ゴルフクラブヘッド１０には、第１の領域２０及び第２の領域３０を塗装又は例えばＰＶＤコーティングによってコーティングするように、塗装作業又はコーティング作業を行うことができる。その後、ＰＶＤコーティングが乾くか又は別様に硬化すると、例えば、マスキング液をゴルフクラブヘッド１０から除去して、第３の領域４０の研磨された金属面４８を露呈させることができる。当然ながら、他の変形形態が考えられる。例えば、第１の領域２０及び第２の領域３０を塗装又はコーティングのされない面としてマスキングし、第３の領域４０のみを露出したままにしてもよい。次に、塗装、又はＰＶＤ等のコーティング、又はサンドブラスト等によるテクスチャー加工を第３の領域４０に施し、第３の領域４０がゴルフクラブヘッド１０におけるそれぞれ唯一の塗装面、コーティング面、及び／又はテクスチャー加工面になるようにすることができる。当然ながら、他の組合せが考えられる。
【００２１】
図３に最もよく見られる別の態様において、ゴルフクラブヘッド１０は第４の領域５０を有することができる。第４の領域５０はフェース部１６の少なくとも一部を含むことができる。第４の領域５０は、第１の領域２０と略同じようにテクスチャー加工及び／又は塗装及び／又はコーティングすることができる。１つの態様において、第１の領域２０及び第４の領域５０の双方は、同じテクスチャー加工によりテクスチャー加工して、同じ塗装により塗装するか又はＰＶＤ等の同じコーティングによりコーティングし、ソール部１４の少なくとも一部とフェース部１６とフェース部リーディングエッジ１８との間に一様な見た目を達成することができる。好ましい一態様において、第４の領域５０は、線５３、５５によって画定されるように、フェース部１６の溝５２を有する部分のみを含む場合がある。この領域をテクスチャー加工してもよい一方で、フェース部１６のヒール部５４及びトゥ部５６は研磨されてテクスチャー加工されないままにしてもよい。例えば第４の領域５０によって画定されるテクスチャー加工面と、ヒール部５４及びトゥ部５６によって画定されるテクスチャー加工されない面との間のこのような差異は、例えば、テクスチャー加工しないままにする面をマスキングし、露出している面にテクスチャー加工することにより達成することができる。
【００２２】
図１及び図２を再び参照すると、第３の領域４０は、略均一な幅とすることができる細い（thin）ストリップを有することができる。第３の領域４０は、１つ又は複数の略直線状セクションを含むことができる。図示のように、略直線状セクション４１及び４２のうちの１つ又は複数の少なくとも一部は、概してソール部１４のヒール部からトゥ部にかけての方向Ｈ→Ｔに延びていることができる。図示のように、略直線状セクション４２が略直線状セクション４１の後方にくるように、略直線状セクション４１を略直線状セクション４２からオフセットさせてもよい。更に図示のように、１つ又は複数の略直線状セクション４３及び４４の少なくとも一部は、概してソール部１４のフェース部からバック部にかけての方向Ｆ→Ｂに延びていることができる。更に図示のように、第３の領域４０は、１つ又は複数の曲線状セクション４５を含むことができる。第３の領域４０は、２つの略直線状セクション４１、４７の接合点を含む１つ又は複数の角セクション４６を更に含むことができる。更に図示のように、直線状セクションのうちの１つ又は複数は略斜線状セクション４７を含むことができる。略斜線状セクション４７は、ヒール部からトゥ部にかけての方向Ｈ→Ｔ及び／又はフェース部からバック部にかけての方向Ｆ→Ｂに対して斜めに延びていることができる。
【００２３】
第３の領域４０は、特に、図１〜図４に示されているように比較的細い線として形成される場合、ゴルフクラブヘッド１０の種々の特性をより効果的に示す／伝えるように用いることができる。種々の特性とは、例えば、トゥ部重量、バウンス、慣性モーメント（ＭＯＩ）、ヒール部重量、中心重量等の相対的な度合いである。図１及び図２の例では、図示のように、第３の領域４０はストリップ又はリボンを含んでもよい。ストリップ又はリボンは、ジョグセクション２１等の視覚表示を有するか又は画定してもよい。ジョグセクション２１は、略直線状セクション４２及び４４で表され、クラブヘッド１０のトゥ部１５の近位のフェース部１６から後方に急カーブする（jog）ことができる。この例では、このような視覚表示は、ゴルフクラブヘッド１０が高度のトゥ部重量を呈することをゴルファーに示すことができる。異なるフィッティングの選択肢を、例えば、第３の領域４０に対するそのような後方ジョグの異なる度合いを伝える異なるクラブを提供することによって与えることができる。この度合いは、例えば、ゴルフクラブヘッド１０のトゥ部重量が比較的小さいことを表す点線セクション４２ａ、及び、ゴルフクラブヘッド１０のトゥ部重量が更に比較的小さいか、又は実線の第３の領域４０を含む図１のゴルフクラブヘッドに比べてよりバランスのとれた重量であることを表す点線領域４２ｂにより示される。当然ながら、点線領域４２ｂの例では、第３の領域４０が数字標識又は他の標識１９にかかったり近すぎたりしないように、数字標識又は他の標識１９を動かす必要がある場合がある。当然ながら、他の変形形態が考えられる。例えば、第３の領域４０は、ソール部１４の中央の近位に後方（又は前方）ジョグを有することができる。後方（又は前方）ジョグは、例えば中央「段付き」領域を呈する１対の略斜線状又は後方に向いたセクション４７を有し、この中央「段付き」領域は、例えば、中央により重量があるクラブを示すことができるか、又はクラブの特定のＭＯＩ、例えば高ＭＯＩ若しくは低ＭＯＩを伝えることができる。
【００２４】
図１及び図２に更に示され、図４に最もよく見られるように、ゴルフクラブヘッド１０は第５の領域６０を有することができる。第５の領域６０は、第２の領域３０の研磨面３２と略同じとすることができる研磨面６２を有することができる。この態様では、第５の領域６０は、塗装するか又は例えばＰＶＤを用いてコーティングし、第２の領域３０の研磨面３２と略同じ見た目を達成することができる。これはマスキングステップによって達成することができる。マスキングステップでは、テクスチャー加工後に、第５の領域６０を含むオフセットを有するように第１の領域２０をマスキングする。次に、第２のマスクを第２の領域３０に施し、その際、第３の領域４０を露出したままにすることができる。第３の領域４０は、前述のようにマスキング液によってマスキングされる場合がある。マスキング液が乾いた後、第１の領域２０を覆うマスク及び第５の領域６０に対応するオフセットを除去してもよく、第２の領域３０を覆うマスクを除去してもよく、クラブヘッド全体を塗装、又は例えばＰＶＤによってコーティングしてもよい。その後、マスキング液を、例えば、ゴルフクラブヘッド１０を溶剤槽に浸すことによって除去してもよい。
【００２５】
図示され、図４に最もよく見られるように、第５の領域６０は、第１の領域２０と第３の領域４０との間にあることができる。第１の領域２０が塗装又はコーティングされたテクスチャー加工面を含み、第３の領域４０が研磨された金属面を含むとき、第５の領域６０は、塗装又はコーティングされた研磨面６２を含む場合、第３の領域４０の区別を向上させることができる。これは、特に、第１の領域２０及び第５の領域６０を覆う塗装又はコーティングが暗色、すなわち、黒、茶色、灰色等であり、第３の領域４０が銀色の様相である場合に別様に当てはまり得るよりも視覚的な区別すなわち「ポップ」さを与える。また、テクスチャー加工ではなく研磨した第５の領域６０を用いることで、第３の領域４０の前方境界線７２をより容易に画定するのを助けることができる。後述するように、第３の領域４０を例えばマスキング液によってマスキングした後に、クラブヘッド１０等の物品の残りの部分を塗装又はコーティングしてもよい。第５の領域６０が滑らかである、すなわち研磨されている場合、第５の領域６０が粗い、すなわちテクスチャー加工されている場合に可能となり得るよりも鋭利な前方境界線７２を達成することが可能であり得る。なぜなら、より滑らかな面は、効果的なマスキングをより容易に可能にし、より粗い面すなわちテクスチャー加工面をマスキングすることにより起こり得る塗装又はコーティングの「滲み（bleeding）」を回避することができるためである。
【００２６】
好ましい一態様において、第５の領域６０は約１ｍｍ以下の略均一な幅とすることができ、第３の領域４０は約２ｍｍ以下の略均一な幅とすることができる。当然ながら、他の変形形態が考えられる。例えば、第３の領域４０及び／又は第５の領域６０は、自身の長さに亘って可変幅を有してもよい。例えば研磨した金属ストリップを含む第３の領域４０が１つのみ図示されているが、それぞれ塗装領域及び／又はコーティング領域及び／又はテクスチャー加工領域によって分けられる複数の第３の領域４０を用い、それにより複数のストライプ効果を生むことができる。
【００２７】
図７及び図８を参照すると、図５及び図６に記載の本開示の別の態様は、塗装又はコーティングされたゴルフクラブヘッド等の物品を作製する方法を含む。図５に示されている１つの態様において、作業５００では、例えば、ゴルフクラブヘッドをニッケルめっき処理すること、及び／又は、金属製ゴルフクラブヘッドに、例えばバフホイール及び／又は液体研磨剤を用いた研磨ステップを行うことにより、物品又は物品の一部、例えばゴルフクラブヘッドのソール部及び／又はフェース部及び／又はバック部を研磨することができる。しかし、研磨面、又はバフ研磨を必要とすることなく研磨されたように見える面が、本明細書において用いられる「研磨」の意味範囲内にあることを理解するべきである。したがって、例えば、クロムめっき等の高反射性材料によるめっき処理も、本明細書において用いられる場合、「研磨」に含む。このようなめっき処理は、電気めっき、蒸着等を含む任意の既知の技術を用いて実行することができる。
【００２８】
作業５０５では、図７の太輪郭線８２によって概略的に示されている第１のマスク８０を、物品の少なくとも一部、例えば、ソール部１４の一部又はゴルフクラブヘッド１０の他の部分に施すことができる。第１のマスク８０は、ソール部の第１の部分、例えば、図１〜図４及び図７の第２の領域３０、第３の領域４０、及び第５の領域６０を覆うことができ、ソール部の第２の部分、例えば図１〜図４及び図７の第１の領域２０を覆わないままにすることができる。第１のマスク８０は、ゴルフクラブヘッド１０のバック部１２の近位又はゴルフクラブヘッド１０の任意の他の所望の場所に施し、テクスチャー加工されないように遮蔽することができる。第１のマスク８０は、図１、図４、及び図７に示されているように所望のテクスチャー加工境界線に略対応する縁７０を有することができる。縁７０は必ずしも直線ではなく、線分、曲線、角等を含んでもよい。
【００２９】
作業５１０では、テクスチャー加工を、物品の覆われていない部分、すなわちソール部の第２の部分、例えば、図１〜図４及び図７の第１の領域２０に施し、それにより、第１のマスク８０によって画定されるテクスチャー加工境界線を有するテクスチャー加工領域を形成することができる。この例では、テクスチャー加工領域は、図１〜図４及び図７のテクスチャー加工面２２を含むことができ、図７の縁７０により概略的に示されているテクスチャー加工境界線８４によって画定することができる。この態様では、テクスチャー加工境界線８４は、第１のマスク８０の縁７０に略一致する、すなわち第１のマスク８０の縁７０によって画定することができる。この縁７０は、第１のマスク８０を用いて達成することができる。この第１のマスク８０は、例えば、図１、図４、及び図７に示す輪郭を有する縁７０を生成するダイカットマスキングテープを含む。テクスチャー加工は、代替的又は付加的に、フェース部１６の少なくとも一部、例えば、図３に示されている第４の領域５０に施してもよい。テクスチャー加工は、例えば、サンドブラストステップ、化学エッチングステップ、研削ステップ、及び／又はタンブリングステップのうちの１つ又は複数を用いて施すことができる。
【００３０】
作業５１５では、第１のマスク８０を、物品、例えばゴルフクラブヘッド１０から第１のマスク８０を剥がすことによって除去することができる。マスク除去の他の方法には、圧力洗浄、加圧空気の使用等を挙げることができる。
【００３１】
作業５２０では、図８の太輪郭線９２によって概略的に示されている第２のマスク９０を、ゴルフクラブヘッド１０等の物品に塗布することによって、作業５１０においてテクスチャー加工した領域、例えば第１の領域２０の少なくとも一部又は全体を覆うことができる。好ましい一態様において、第２のマスク９０はテクスチャー加工領域の全体を覆ってもよい。別の好ましい態様では、第２のマスク９０は、例えばソール部１４の第５の領域６０を含むことができるオフセット部分を覆ってもよい。この態様では、第２のマスク９０は、テクスチャー加工境界線を含む縁７０を実質的に辿るが、例えば１ｍｍ以下の距離だけ縁７０からオフセットしている構成を有することができるオフセット部分を画定することができる。したがって、この例では、第２のマスク９０は、第３の領域４０の前方境界線７２（図４に最もよく見られる）を画定することができる。
【００３２】
作業５２５では、図８の太輪郭線１０２によって概略的に示されている第３のマスク１００を、ゴルフクラブヘッド１０等の物品に施すことができ、物品の第２のマスク９０と第３のマスク１００との間に露出した領域１０４を残すことができる。ここでは、破線領域Ａ及びＢによって示されているように、第２のマスク９０及び第３のマスク１００を必要に応じて接合し、露出した領域１０４に対応する開放部すなわち領域１０４’を有する１つのマスクを形成することにより、第２のマスク９０及び第３のマスク１００の配置を１つのステップで可能にすることができることに留意するべきである。この態様では、開放部すなわち領域１０４’は、単一片のマスキング材にパンチ加工又はダイカット加工してもよい。図示のように、第２のマスク９０及び第３のマスク１００により画定されるような露出した領域１０４は、第２のマスク９０の縁９５及び第３のマスク１００の対向縁１０５によって、少なくとも部分的に画定することができる。縁９５及び１０５は、略直線状、互いに平行、及び／又は互いから等間隔とすることができる。第３のマスク１００は、ソール部１４の第１の部分の第１の研磨領域の少なくとも一部を覆うことができ、ソール部１４の第１の部分の第２の研磨領域を露出したままにすることができる。図１及び図４に示されている例では、第３のマスク１００は第２の領域３０を覆うことができ、第３の領域４０の後方境界線７４を画定することができ、その際、図８に概略的に示されている露出した領域１０４に対応し得る研磨された第３の領域４０を露出したままにする。
【００３３】
作業５３０では、露出した領域１０４、例えばソール部１４の第１の部分の第２の研磨領域を実質的に覆うようにマスキング液を塗布することができる。この例では、ソール部１４の第１の部分の第２の研磨領域は第３の領域４０を含むことができる。好ましい一態様において、第３の領域４０は、物品、例えばゴルフクラブヘッド１０の表面に亘って概してヒール部からトゥ部にかけての方向（Ｈ−Ｔ）に延びている研磨された金属ストリップとすることができる。マスキング液は、塗装、又はＰＶＤ等のコーティングの付着に抗することができる。例えば、使用される塗装又はコーティングが、金属に対して付着性があるが親水性表面ではない場合、マスクは親水性材料を含むことができる。代替的に、塗装又はコーティングは液体コーティングに対して付着性があってもよいが、マスキング液は、物品の表面に付着する必要があり、それにより、物品の表面にマスクを提供し、その後、物品の表面から除去することができる。マスキング液は乾かされることが好ましく、これは、熱、空気やそれらの組合せによって促進することができる。
【００３４】
作業５３５では、ゴルフクラブヘッド１０等の物品から第２のマスク９０及び第３のマスク１００を除去することができる。したがって、これにより、第１の領域２０、第２の領域３０、第４の領域５０、及び／又は第５の領域６０等の領域を露出させて塗装又はコーティングする一方で、この時点では乾いているマスキング液が第３の領域４０を覆ったままにし、塗装又はコーティングが第３の領域４０に付着するのを防止することができる。
【００３５】
作業５４０では、物品を、ゴルフクラブヘッド１０、例えば、ソール部１４、バック部１２、フェース部１６、及び／又はホーゼル部１７の略全体に対して、例えば、塗料を塗布することにより塗装するか又はＰＶＤ等を用いてコーティングすることができる。この態様では、第３の領域４０等のコーティングされない領域を、研磨された金属面等のコントラスト色又はコントラスト面として残しながら、例えばＰＶＤコーティングを用いて可能なように略一様な色の物品を、１つのＰＶＤコーティングステップで達成することができる。塗装又はコーティングは、スプレー塗装、静電塗装（electrostatic coating）、ブラッシング、物理蒸着等を含む既知の方法を用いて施すことができる。塗装又はコーティングは施された時点で乾かすことができる。
【００３６】
作業５４５では、物品、例えば、ソール部１４の第１の部分の第２の研磨領域、この例では第３の領域４０から、マスキング液を除去することができる。この作業では、研磨された金属面４８等の高度に研磨された金属面を達成しながら、図４に示されているように鮮明な区分線を有する研磨及び／又はテクスチャー加工された塗装面又はコーティング面も達成することができる。この作業では、マスキング液は、例えば、ゴルフクラブヘッド１０を溶剤槽に入れる、圧力洗浄する等によって除去することができる。
【００３７】
本明細書に開示される方法を実施する別の態様が図６に示されている。この態様では、作業６００において、例えば、金属製ゴルフクラブヘッド１０のソール部１４を研磨することにより、金属製ゴルフクラブヘッド１０を研磨することができる。金属製ゴルフクラブヘッド１０は、ソール部１４と、フェース部１６と、バック部１２とを有することができる。
【００３８】
作業６０５では、例えば第１のマスク８０をソール部１４に施すことにより、金属製ゴルフクラブヘッド１０に第１のマスク８０を施すことができる。第１のマスク８０はソール部１４の後方部を覆うことができ、ソール部１４の覆われていない部分及びフェース部１６の覆われていない部分を含む、金属製ゴルフクラブヘッド１０の前方部を覆わないままにすることができる。第１のマスク８０は、マスク８０の縁７０を含むことができる前方境界線を有することができる。前方境界線は、概して金属製ゴルフクラブヘッド１０のヒール部からトゥ部にかけての方向（Ｈ−Ｔ）に延びている。
【００３９】
作業６１０では、例えば、金属製ゴルフクラブヘッド１０の前方部にサンドブラストを行うことにより、金属製ゴルフクラブヘッド１０にテクスチャー加工を施し、それにより、ソール部１４の覆われていない部分及びフェース部１６の覆われていない部分にテクスチャー加工領域を形成することができる。テクスチャー加工領域は、第１のマスク８０の前方境界線すなわち縁７０によって画定されるテクスチャー加工境界線８４を有することができる。
【００４０】
作業６１５では、金属製ゴルフクラブヘッド１０から第１のマスク８０を除去することができる。
【００４１】
作業６２０では、例えば、第２のマスク９０を施してテクスチャー加工領域の少なくとも一部を覆うことにより、金属製ゴルフクラブヘッド１０に第２のマスク９０を施すことができる。また、第２のマスク９０は、テクスチャー加工境界線８４の後方にある、ソール部１４の後方部のオフセット領域を覆う一方で、第３の領域４０を露出したままにすることができる。オフセット領域は、図１〜図４を参照して前述した第５の領域６０を含むことができる。
【００４２】
作業６２５では、例えば、第３のマスク１００を施してソール部１４の後方部の少なくとも一部を覆うことにより、金属製ゴルフクラブヘッド１０に第３のマスク１００を施すことができる。この作業は、第２のマスク９０と第３のマスク１００との間に、ストリップ領域とすることができる領域を露出したままにすることができる。ストリップ領域は、前述した第３の領域４０を含むことができる。
【００４３】
作業６３０では、例えば、マスキング液を塗布して第２のマスク９０と第３のマスク１００との間のストリップ領域とすることができる露出した領域を実質的に覆うことにより、金属製ゴルフクラブヘッド１０にマスキング液を塗布することができる。
【００４４】
作業６３５では、マスキング液を乾かすことができる。
【００４５】
作業６４０では、金属製ゴルフクラブヘッド１０、例えばソール部１４から、第２のマスク９０及び第３のマスク１００を除去することができる。
【００４６】
作業６４５では、例えば、ソール部１４及びフェース部１６に塗装又はＰＶＤを施すことにより、金属製ゴルフクラブヘッド１０に塗装又はコーティングを施すことができる。塗装又はコーティングは、マスキング液に対して実質的に付着性がないものとすることができる。
【００４７】
作業６５０では、例えば、ストリップ領域からマスキング液を除去することにより、金属製ゴルフクラブヘッド１０からマスキング液を除去することができる。
【００４８】
本明細書に示されているマスク８０、９０、及び１００等のマスクは概略的に示されているため、必ずしも縮尺どおりではなく、すなわち、製品の境界線と正確に一致する境界線を有するマスクと、マスキング、テクスチャー加工、コーティング、又は塗装される表面とを得るために、例えば既知のダイカット技術を用いて達成されるものと同じ外形を必ずしも有しないことを理解するべきである。参照を容易にするため、また特徴部又は下にある領域を示すのに都合が良いように、このようなマスク８０、９０、及び１００は、透明なマスキングテープ又はアップリケを用いて達成されるように透明として示されているが、不透明又は半透明とすることもできる。
【００４９】
本明細書に記載のマスキング材、例えば、第１のマスク８０、第２のマスク９０、及び第３のマスク１００は、マスキングテープ等の任意の既知のマスキング材を含むことができる。ここでは、このようなマスクは、ＰＶＤ等のいくつかのコーティングプロセスの場合、極度の高温にさらされる場合があり、したがって、極度の熱に耐えることが可能な材料によって作製するべきであることに留意するべきである。こうした材料は、ＰＶＤ及び他のコーティングを施す技術分野の当業者には既知である。このようなマスクは、ダイカット加工、スリット加工、打抜き加工等を含む既知の方法を用いて作製し、それにより、物品の少なくとも一部をマスキングするとともに、物品の少なくとも別の部分を、テクスチャー加工、塗装、コーティング、及び／又は追加のマスキングステップを行うためにマスキングされないままにするように設計された構成を有するマスクを達成することができる。このようなマスクは、手作業で施すこと及び自動で施すことを含む既知の方法を用いて、物品に施すことができる。本明細書ではマスキング液が記載されているが、マスキング液の代わりに他のマスキング材及びマスキング技術を用いることができることが理解される。他のマスキング材及びマスキング技術には、例えば、マスキングする領域に液体接着剤の層を例えばスプレーコーティングによって塗布し、次いでその接着剤にパウダーコーティングを施して乾かすことが挙げられる。このようなマスクは、例えば圧力洗浄又は溶剤槽を用いて除去することができる。
【００５０】
本開示の別の態様が図９〜図１２に示されている。本態様は、全体として１１０で示すゴルフクラブヘッドに関し、このゴルフクラブヘッドは、ウッド型ゴルフクラブヘッド、ハイブリッド型ゴルフクラブヘッド、アイアンハイブリッド型ゴルフクラブヘッド、アイアン型ゴルフクラブヘッド、ウェッジ型ゴルフクラブヘッド、又はパター型ゴルフクラブヘッドを含むことができる。本態様では、ゴルフクラブヘッド１１０は、２つ以上のセクション、この場合では、前方セクション１１４、すなわち、フェース部１６に対してより近位の領域、及び後方セクション１１４Ａ、すなわち、バック部１２に対してより近位の領域に分けられるソール部１４を有することができる。図１２に最もよく見られるように、前方セクション１１４は、溝、チャネル、又は他の不連続部１１６によって、後方セクション１１４Ａとは分けることができる。図９〜図１１に見られるように、この溝１１６は、ゴルフクラブヘッド１１０のトゥ部領域１１８からヒール部領域１２０にかけて延びることができる。溝１１６は、前方セクション１１４と後方セクション１１４Ａとを視覚的に示す及び／又は区別するのを助けることができる。図９〜図１２に示されているゴルフクラブヘッド１１０は抉られたバック部すなわちクラウン部１１２を有することができ、それにより、ゴルフクラブヘッド１１０の重心を低くする及び／又は重心を後方に移動させるのを助けることができる。このことにより、ゴルフクラブヘッド１１０のプレー性（playability：プレーのしやすさ）を向上することができる。
【００５１】
既知のように、多くのゴルファーはアドレス時に自身のクラブヘッドに近づきすぎるが、このことは、良好なゴルフショットに対する数ある妨げの中でも、より低い打出し角、より短い飛距離、スライスにつながる可能性がある。クラブヘッドにあまりに近づきすぎることは、ハイブリッド及びハイブリッドアイアンに関して特に深刻である。図９〜図１２に更に示されているように、後方セクション１１４Ａは前方セクション１１４から引っ込んでいてもよい。図９に示されているように、このオフセットは、２つの矢印によって示されている高さ「Ｈ」を有することができる。図１２に更に示されているように、このオフセットは、アドレス時に、１つ又は複数の接触点１２２、１２４が地面（破線１２６で示す）に接触した状態で地面に置かれると、クラブヘッド１１０が後方に傾く（rock back）ことを可能にすることができる。オフセットの高さ「Ｈ」を変更して、アドレス時にゴルフクラブヘッド１１０が後方に傾く度合いを変更することができる。ゴルフクラブヘッド１１０の重量は、例えば十分な後方重量をもたらし、アドレス時にゴルフクラブヘッド１１０を後方に傾け、フェース部１６を推奨される角度に開くのに寄与することもできる。
【００５２】
図９〜図１２のゴルフクラブヘッド１１０は、図１〜図８に関して本明細書に記載した他の特徴又は要素、特に、ゴルフクラブヘッドの種々の表面領域のコーティング又はテクスチャー加工及び関連の方法に関する特徴又は要素を含むことができる。図９〜図１２のゴルフクラブヘッド１１０はそのような特徴又は要素を含まない場合があることも想定される。
【００５３】
本明細書に記載の方法及び装置は単に例示である。例えば、本明細書に記載の例示的な実施形態は、ゴルフクラブヘッドのソール部又はフェース部に対してテクスチャー加工、塗装、コーティング、研磨、又はマスクを施すことに言及する場合があるが、本開示は、他の製品、及び、例として、ゴルフクラブヘッドのフェース部、バック部、クラウン部、ソール部、スカート部、ヒール部、及び／又はトゥ部を含むゴルフクラブヘッドの他の領域に対してそれらを施すこと、及び／又は、ウッド型ゴルフクラブヘッドのスカート部に至るまで遷移する特徴線又は反射ストリップを提供することを含むことが意図されることを理解するべきである。
【００５４】
本明細書において用いられる場合、「物品」という用語は、研磨、テクスチャー加工、コーティング、及び／又は塗装を受けることが可能な任意の製品又はその表面、例えば、金属、木材、プラスチック、ガラス、石材、セラミック等を意味する。したがって、本明細書に開示される方法は、そのような材料により製造されるゴルフクラブヘッドだけでなく、例えば、自動車及び自動車部品、家具、建材、玩具、食器類、ガラス製品、航空機、機械類、硬貨、自動販売機等にも利用することができる。したがって、本明細書における記載は、主にゴルフクラブヘッド及びその製造の文脈において装置及び方法を記載しているが、そのような開示は例示であり、そのように限定されることは意図されない。
【００５５】
本明細書において用いられる場合、「塗装する」又は「塗装される」という用語は、油性塗料又は水性塗料等の塗料の塗布だけでなく、色又は仕上げ、例えば、例として陽極酸化処理プロセス、印刷、シルクスクリーン等を含む、光沢、半光沢、又は艶消し仕上げを与えることができる他のコーティング剤の塗布も含む。
【００５６】
別段示されない限り、数量を表す全ての数字は、僅かな製造公差を有すると理解するべきであり、したがって、本明細書及び特許請求の範囲において用いられる場合、全ての例において「約」という用語によって修飾されることが理解される。したがって、それに反することが示されない限り、本明細書及び添付の特許請求の範囲に記載されている数値パラメーターは、得ようとする所望の性質に応じて変化する場合がある近似値である。
【００５７】
少なくとも、特許請求の範囲の範囲に対して均等論の適用を制限する企図ではないが、各数値パラメーターは、少なくとも、報告された有効数字の数に照らして通常の端数処理法を適用して解釈されるべきである。本開示の広い範囲を記載している数値範囲及び数値パラメーターは近似値でありながらも、具体例に記載されているそれらの数値は可能な限り正確に報告されている。しかし、いずれの数値も、それぞれの試験測定値に見られる標準偏差から必然的に生じるいくつかの誤差を本質的に含む。
【００５８】
実施形態の記載の文脈で用いられる数量が特定されていない用語（The terms "a," "an," "the" and similar referents）は、本明細書に別段示されない限り又は文脈によって明確に否定されない限り、単数及び複数の双方を包含するように解釈されるべきである。本明細書における数値範囲の列挙は、その範囲内に入る各別個の値を個別に示す略記方法としての役目を果たすように専ら意図されている。本明細書に別段示されない限り、各個別の値は、本明細書に個別に挙げられているかのように本明細書に援用される。本明細書に記載の全ての方法は、本明細書に別段示されない限り又は文脈によって明確に否定されない限り、任意の好適な順序で行うことができる。本明細書に与えられる任意及び全ての例、又は例示に関する言い回し（例えば、「等」）の使用は、単に明確にするために意図されており、本開示の範囲に制限を課すものではない。本明細書における言い回しは、あらゆる特許請求されていない要素が、本明細書において考察した実施形態の実施に必須であることを示すように解釈されるべきではない。
【００５９】
一実施形態の異なる特徴又は態様が１つ又は複数の特徴に関して記載されている場合があるが、本明細書に提示されている本開示の趣旨から逸脱することなく、単一であるように記載されている特徴は複数の要素を含む場合があり、複数であるように記載されている特徴は１つの要素に組み合わされる場合があることを理解するべきである。さらに、方法が１つ又は複数の作業を含むように開示されている場合があるが、本明細書に提示されている本開示の趣旨から逸脱することなく、単一であるように記載されている作業は複数のステップを含む場合があり、複数であるように記載されている作業は１つのステップに組み合わされる場合があることを理解するべきである。
【００６０】
本明細書に開示されている代替的な要素又は実施形態の分類は、限定として解釈されるべきではない。各群の構成要素は、個別に又は群のうちの他の構成要素若しくは本明細書に見られる他の要素との任意の組合せで参照及び特許請求される場合がある。或る群のうちの１つ又は複数の構成要素は、便宜上及び／又は特許要件上の理由により、或る群に包含されるか、又は或る群から削除される場合があることが予期される。そのような包含又は削除が行われる場合、本明細書は、変更されることにより添付の特許請求の範囲において用いられる全てのマーカッシュ群の記載を満たすような群を包含するものと見なされる。
【００６１】
本明細書に開示されている具体的な実施形態は、「〜からなる（consisting of）」及び／又は「本質的に〜からなる（consisting essentially of）」という言い回しを用いることにより、特許請求の範囲内で更に限定される場合がある。特許請求の範囲において用いられる場合、出願時のものでも補正書により追加されたものでも、「〜からなる」という移行句は、特許請求の範囲に明示していない任意の要素、ステップ、又は成分を除外する。「本質的に〜からなる」という移行句は、明示された材料又はステップ、並びに基本の特徴及び新規の特徴に実質的に影響を与えない材料又はステップに対して請求項の範囲を限定する。このように特許請求されている実施形態は、本明細書において本質的又は明示的に記載され、実現される。
【００６２】
最後に、わかっている最良の態様を含むいくつかの実施形態が本明細書において記載されている。当然ながら、前述の記載を読むことにより、これらの記載された実施形態に対する変形が当業者には明らかになる。当業者は適切な場合にこのような変形形態を用いることが予期され、また、本明細書に具体的に記載したものとは別様に本発明が実施されることが意図される。したがって、本願は、準拠法により認められるように、添付の特許請求の範囲に挙げられている主題の全ての変更形態及び均等物を含む。さらに、全ての可能な変形形態における上述の要素の任意の組合せが本発明者らによって予期され、本明細書に別段示されない限り又は文脈によって明確に否定されない限り、本開示の範囲内にある。すなわち、本明細書に開示されている実施形態は本発明の原理の例示であり、したがって、本明細書における教示に従って代替的な形態を用いることができることを理解するべきである。したがって、本発明は、図示及び記載のように正確に限定されない。
【図１】
2016055160.tif 000003
【図２】
2016055160.tif 000004
【図３】
2016055160.tif 000005
【図４】
2016055160.tif 000006
【図７】
2016055160.tif 000007
【図８】
2016055160.tif 000008
【図９】
2016055160.tif 000009
【図１０】
2016055160.tif 000010
【図１１】
2016055160.tif 000011
【図１２】
2016055160.tif 000012
【図５】
2016055160.tif 000013
【図６】
2016055160.tif 000014
【外国語明細書】
2016055160000001.pdf